(57)【要約】      （修正有）【課題】組み立てを容易にし、ギフトボックスとしても使用でき、製造コストや搬送及び保管コストの低減化を図る組立て式ボックスを提供する。【解決手段】組立て式ボックス１０は、箱本体１１の側面１４を形成する側面形成片と、該側面形成片の下部に一体に形成されて箱本体１１の底面１５を形成する底面形成片と、前記側面形成片の上部に一体に形成されて蓋体１２の上面１６を形成する上面形成片と、該上面形成片の上部に一体に形成されて蓋体１２の側面１７を形成する側面形成片とを備え、蓋体１２を箱本体１１に向かって下方にスライドさせると、蓋体１２が箱本体１１に嵌合し、箱本体１１の開口面を閉鎖するように構成されていることを特徴とする。【選択図】図１
0003144427.tif 000002
【実用新案登録請求の範囲】
【請求項１】
上方に開口面を有する有底筒状の紙製の箱本体と、下方に開口面を有して該箱本体に嵌合可能な有天筒状の紙製の蓋体とを備えた組立て式ボックスであって、
前記箱本体の側面を形成する側面形成片と、該側面形成片の下部に一体に形成されて前記箱本体の底面を形成する底面形成片と、前記側面形成片の上部に一体に形成されて前記蓋体の上面を形成する上面形成片と、該上面形成片の上部に一体に形成されて前記蓋体の側面を形成する側面形成片とを備え、
前記蓋体を前記箱本体に向かって下方にスライドさせると、前記蓋体が前記箱本体に嵌合すると共に、前記蓋体の上面形成片が内側に折り畳まれて前記蓋体の上面を形成し、前記箱本体の開口面を閉鎖するように構成されていることを特徴とする組立て式ボックス。
【請求項２】
前記箱本体の底面の内側に形成される第２の底面が前記箱本体の側面の下部に一体に形成されている請求項１に記載の組立て式ボックス。
【請求項３】
前記箱本体と前記蓋体の少なくとも一方にリボンが設けられ、該リボンは前記箱本体と前記蓋体とを結束可能な長さを有している請求項１又は２に記載の組立て式ボックス。
【請求項４】
前記蓋体を前記箱本体の上方にスライドさせ、前記上面形成片を伸ばした状態で、横向きの力を作用させると、前記底面が前記箱本体の側面の内側に折り込まれてフラットな状態に折り畳まれるように構成されている請求項１〜３のいずれか１の請求項に記載の組立て式ボックス。
【考案の詳細な説明】
【技術分野】
【０００１】
本考案は、組み立て式ボックスに関し、特に、箱本体と該箱本体に嵌合可能な蓋体とが一体に形成され、箱本体に対して蓋体をスライドさせることにより箱本体の上方を開閉可能なように形成された組立て式ボックスに関するものである。
【背景技術】
【０００２】
一般に、食料品や日用品等を収納し包装する容器として、紙製のボックスが使用されている。
【０００３】
従来の紙製のボックスとしては、例えば、みかん箱に代表されるＡ式箱と呼ばれるものや、ケーキ箱に代表されるＢ式箱と呼ばれるものが知られている。この種のボックスは、箱本体の側面の上縁から折り目を介して連設された蓋体がこの折り目を支点に回動することにより箱本体の上方を開閉する構成を有しており、組み立て可能なように形成されている（例えば、特許文献１又は２参照）。
【０００４】
また、箱本体と蓋体が分かれたＣ式箱と呼ばれるものも知られており、この種のボックスは、主に、ボール紙の表面に化粧用紙を貼付した貼箱の形態を成し、高級品や贈答品などを収納するギフトボックスとして使用されている。
【特許文献１】実開平５−６４８５２号公報
【特許文献２】実開平７−２８０１７号公報
【考案の開示】
【考案が解決しようとする課題】
【０００５】
しかしながら、上記した従来のＡ式箱やＢ式箱と呼ばれるボックスは、簡易包装用の外観を成しているため、そのまま高級品や贈答品などのギフトボックスとして使用することができないといった問題があった。
【０００６】
一方、上記した従来のＣ式箱と呼ばれるボックスは、貼箱の形態を成しているため、製造コストが増大するといった問題や、組み立て式にするのが難しいため、容積が嵩み、搬送コストや保管コストの低減化が図り難いといった問題があった。
【０００７】
本考案は、上記した課題を解決すべくなされたものであり、組み立てが容易であり、そのままギフトボックスとしても使用でき、製造コストや搬送及び保管コストの低減化が可能な組み立て式ボックスを提供することを目的とするものである。
【課題を解決するための手段】
【０００８】
上記した目的を達成するため、本考案は、上方に開口面を有する有底筒状の紙製の箱本体と、下方に開口面を有して該箱本体に嵌合可能な有天筒状の紙製の蓋体とを備えた組立て式ボックスであって、前記箱本体の側面を形成する側面形成片と、該側面形成片の下部に一体に形成されて前記箱本体の底面を形成する底面形成片と、前記側面形成片の上部に一体に形成されて前記蓋体の上面を形成する上面形成片と、該上面形成片の上部に一体に形成されて前記蓋体の側面を形成する側面形成片とを備え、前記蓋体を前記箱本体に向かって下方にスライドさせると、前記蓋体が前記箱本体に嵌合すると共に、前記蓋体の上面形成片が内側に折り畳まれて前記蓋体の上面を形成し、前記箱本体の開口面を閉鎖するように構成されていることを特徴とする。
【０００９】
そして、前記箱本体の底面の内側に形成される第２の底面が前記箱本体の側面の下部に一体に形成されているのが好ましい。
【００１０】
また、前記箱本体と前記蓋体の少なくとも一方にリボンが設けられ、該リボンは前記箱本体と前記蓋体とを結束可能な長さを有しているのが好ましい。
【００１１】
さらに、前記蓋体を前記箱本体の上方にスライドさせ、前記上面形成片を伸ばした状態で、横向きの力を作用させると、前記底面が前記箱本体の側面の内側に折り込まれてフラットな状態に折り畳まれるように構成されているのが好ましい。
【考案の効果】
【００１２】
本考案によれば、組み立てが容易であり、ギフトボックスとしても使用でき、製造コストや搬送及び保管コストの低減化が可能な組み立て式ボックスを提供することができる。
【考案を実施するための最良の形態】
【００１３】
以下、図面を参照しつつ、本考案の実施の形態について説明する。
【００１４】
図１は本実施の形態に係る組立て式ボックス１０を示す斜視図、図２はその底面図であり、この組立て式ボックス１０は、上方に開口面を有する有底筒状の紙製の箱本体１１と、下方に開口面を有して箱本体１１に嵌合可能な有天筒状の紙製の蓋体１２と、蓋体１２の対称位置に取り付けられる２本のリボン１３とを備えて構成されており、リボン１３は箱本体１１と蓋体１２とを結束可能な長さを有している。
【００１５】
図３は本実施の形態に係る組立てボックス１０を展開した状態を示しており、この組立て式ボックス１０は、直接１枚のコートボールに印刷することにより形成され、箱本体１１の側面１４を形成する４枚の第１〜第４側面形成片１４ａ，１４ｂ，１４ｃ，１４ｄと、第１〜第４側面形成片１４ａ，１４ｂ，１４ｃ，１４ｄの下部に一体に形成されて箱本体１１の底面１５を形成する４枚の第１〜第４底面形成片１５ａ，１５ｂ，１５ｃ，１５ｄと、第１〜第４側面形成片１４ａ，１４ｂ，１４ｃ，１４ｄの上部に一体に形成されて蓋体１２の上面１６を形成する４枚の第１〜第４上面形成片１６ａ，１６ｂ，１６ｃ，１６ｄと、第１〜第４上面形成片１６ａ，１６ｂ，１６ｃ，１６ｄの上部に一体に形成されて蓋体１２の側面１７を形成する４枚の第１〜第４側面形成片１７ａ，１７ｂ，１７ｃ，１７ｄとを備えて構成されている。
【００１６】
第１〜第４側面形成片１４ａ，１４ｂ，１４ｃ，１４ｄは、それぞれ長方形状を成し、鉛直直線状に形成された３本の折り目１８を介して横方向に一体に形成され、各折り目１８の上方には鉛直直線状にスリット１９が切欠されている。また、一方の側（図２では左側）の第１側面形成片１４ａの側縁部には折り目２０を介して糊代部２１が一体に形成されている。
【００１７】
第１〜第４底面形成片１５ａ，１５ｂ，１５ｃ，１５ｄの上端部は、水平直線状に形成された折り目２２を介してそれぞれ第１〜第４側面形成片１４ａ，１４ｂ，１４ｃ，１４ｄの下端部に一体に形成されており、一方の側（図２では左側）の第１底面形成片１５ａは台形状を成している。第１底面形成片１５ａに隣接する第２底面形成片１５ｂ及び他方の側（図２では右側）の第４底面形成片１５ｄはそれぞれ三角形状を成し、第２底面形成片１５ｂ及び第４底面形成片１５ｄにはそれぞれ折り目２３を介して糊代部２４が一体に形成されており、糊代部２４の裏面には糊貼り付け加工が施されている。また、第２底面形成片１５ｂと第４底面形成片１５ｄの間の第３底面形成片１５ｃは正方形に近い台形状を成し、第３底面形成片１５ｃには対角線状に折り目２５が形成されている。
【００１８】
第１〜第４上面形成片１６ａ，１６ｂ，１６ｃ，１６ｄは、２つのほぼ同一形状の２個の台形を上下反対向きに接続し、該接続部分に形成された水平直線状の折り目２６を介して一体に形成した形状を成し、第１〜第４上面形成片１６ａ，１６ｂ，１６ｃ，１６ｄの下端部は折り目２７を介してそれぞれ第１〜第４側面形成片１４ａ，１４ｂ，１４ｃ，１４ｄの上端部に一体に形成されている。また、一方の側（図２では左側）の第１上面形成片１６ａの上部、及び該第１上面形成片１６ａと第２上面形成片１５ｂを挟む位置に配設される第３上面形成片１６ｄの上部には、それぞれ、リボン１３を取り付けるための小孔２８が穿設されている。
【００１９】
第１〜第４側面形成片１７ａ，１７ｂ，１７ｃ，１７ｄは、それぞれ直方体形状を成し、鉛直直線状に形成された３本の折り目２９を介して横方向に一体に形成されていると共に、その下端部は水平直線状に形成された折り目３０を介して第１〜第４上面形成片１６ａ，１６ｂ，１６ｃ，１６ｄの上端部にそれぞれ一体に形成されている。また、一方の側（図２では左側）の第１側面形成片１７ａの側縁部には折り目３１を介して糊代部３２が一体に形成されている。そして、第１〜第４側面形成片１７ａ，１７ｂ，１７ｃ，１７ｄは、その高さが第１〜第４側面形成片１４ａ，１４ｂ，１４ｃ，１４ｄのスリット１９の長さに等しくなるように形成されている。
【００２０】
上記した構成を備えた組立て式ボックス１０を組立てる場合、先ず、図３において、折り目１８，２０，２２，２９，３１に沿って山折りする一方、折り目２３，２５，２６，３０に沿って谷折りする。その上で、糊代部２１を第４側面形成片１４ｄの内面側縁部に貼着し、側面１４を形成すると共に、糊代部３２を第４側面形成片１７ｄの内面側縁部に貼着し、側面１７を形成する。また、底面１５を内側から押して、第２底面形成片１５ｂの糊代部２４を第１底面形成片１５ａの外面に貼着すると共に、第４底面形成片１５ｄの糊代部２４を第３底面形成片１５ｃの外面に貼着し、底面１５を形成する。これにより、第３底面形成片１５ｃが底面１５の内側において第２の底面が形成され、箱本体１１は二重底構造となるため、強度を高め、底抜け防止を図ることができる。また、第２底面形成片１５ｂ及び第４底面形成片１５ｄの糊代部２４の裏面には糊貼り付け加工が施されているため、底面１５を内側から押すことによりワンタッチで箱本体１１を組立てることができる。
【００２１】
このようにして組立てられた組立て式ボックス１０は、図４（ａ）に示すように、蓋体１２を箱本体１１の上方にスライドさせ、各上面形成片１６ａ，１６ｂ，１６ｃ，１６ｄを伸ばすと、蓋体１２の上面に開口部（図示省略）が形成されるため、該開口部から箱体１１の内部に贈答品などを収納することができる。
【００２２】
一方、図４（ｂ）に示すように、蓋体１２を箱本体１１に向かって下方にスライドさせると、第１〜第４側面形成片１４ａ，１４ｂ，１４ｃ，１４ｄの折り目１８の上方にスリット１９が切欠されているため、第１〜第４側面形成片１４ａ，１４ｂ，１４ｃ，１４ｄの上部が蓋体１２の内側に円滑且つ確実に入り込み、蓋体１２を箱本体１１に嵌合させることができる。また、この時の蓋体１２の箱本体１１への嵌合動作に伴い、折り目２６が谷折りされると共に折り目２７，３０が山折りされることにより各上面形成片１６ａ，１６ｂ，１６ｃ，１６ｄは内側に折り畳まれる。そして、この内側に折り畳まれた各上面形成片１６ａ，１６ｂ，１６ｃ，１６ｄは、第１〜第４側面形成片１７ａ，１７ｂ，１７ｃ，１７ｄの高さがスリット１９の長さに等しく形成されているため、内側から箱本体１１によって上方に押し上げられ、これにより、上面形成片１６ａ，１６ｂ，１６ｃ，１６ｄは、蓋体１２の上面１６を形成し、箱本体１１の上方開口面は閉鎖される。このように本実施の形態に係る組立て式ボックス１０によれば、箱本体１１に対して蓋体１２をスライドさせることにより箱本体の上方開口面を容易に開閉することができる。
【００２３】
そして、この組立て式ボックス１０は、直接１枚のコートボールに印刷することによって形成されているため、図５に示すように、リボン１３によって箱本体１１と蓋体１２とを結束することで、二重包装をすることなくそのまま贈答品や高級品などのギフト用のボックスとして使用することができる。したがって、高級感のある外観を保持しながら、製造コストや包装コストの低減化を図ることができる。
【００２４】
また、この組立て式ボックスは、蓋体１２を箱本体１１の上方にスライドさせ、上面形成片１６ａ，１６ｂ，１６ｃ，１６ｄを伸ばした状態で、横向きの力を作用させると、図６に示されているように、底面１５が箱本体１１の側面の内側に折り込まれてフラットな状態に折り畳まれる。したがって、搬送コストや保管コストの低減化を図ることができ、雑誌等の綴じ込み付録としても利用することができる。
【図面の簡単な説明】
【００２５】
【図１】本考案の実施の形態に係る組立て式ボックスを示す斜視図である。
【図２】本考案の実施の形態に係る組立て式ボックスの底面図である。
【図３】本考案の実施の形態に係る組立て式ボックスの展開図である。
【図４】本考案の実施の形態に係る組立て式ボックスの正面図であり、（ａ）は蓋体を上方にスライドさせて箱本体の上方開口面を開放した状態を示し、（ｂ）は蓋体を箱本体に嵌合させて箱本体の上方開口面を閉鎖した状態を示している。
【図５】本考案の実施の形態に係る組立て式ボックスの包装状態を示す斜視図である。
【図６】本考案の実施の形態に係る組立て式ボックスを伸展させた状態を示す平面図である。
【符号の説明】
【００２６】
１０          組立て式ボックス
１１          箱本体
１２          蓋体
１３          リボン
１４          側面
１４ａ，１４ｂ，１４ｃ，１４ｄ    側面形成片
１５          底面
１５ａ，１５ｂ，１５ｃ，１５ｄ    底面形成片
１６          上面
１６ａ，１６ｂ，１６ｃ，１６ｄ    上面形成片
１７          側面
１７ａ，１７ｂ，１７ｃ，１７ｄ    側面形成片
【図１】
0003144427.tif 000003
【図２】
0003144427.tif 000004
【図３】
0003144427.tif 000005
【図４】
0003144427.tif 000006
【図５】
0003144427.tif 000007
【図６】
0003144427.tif 000008